(57)【要約】【課題】粘着テープの貼付け方向の先端および後端の少なくとも一方にタブを形成した粘着テープを被着体に貼付けることのできる粘着テープ貼付け方法および粘着テープ貼付け装置を提供する。【解決手段】エッジ部材１７で折り返されてセパレータＳから剥離された粘着テープＴの先端部分を開放した一対の把持ブロックからなる把持部２５の把持面で吸着保持し、先端側の把持ブロックを枢動させて両把持ブロックの把持面を突き合わせることにより、粘着テープＴを内側に折り曲げて粘着剤層同士を接着させてタブを形成する。後端側は、切断後の粘着テープＴの後端部分を把持ブロックで吸着保持し、後端側の把持ブロックを枢動させて粘着テープＴを内側に折り曲げてタブを形成する。【選択図】図１
2011057360.tif 000002
【特許請求の範囲】
【請求項１】
被着体に粘着テープを貼付ける粘着テープ貼付け方法であって、
前記粘着テープの先端部を折り返してタブを形成する前部タブ形成過程と、
前記タブの形成された粘着テープを被着体の貼付け部位に貼付ける貼付け過程と、
前記貼付け部位の後端部よりも上流側で粘着テープを切断する切断過程と、
切断後の前記粘着テープの後端部を折り返してタブを形成する後部タブ形成過程とを備え、
前記粘着テープ貼付け時に先端側および後端側のうち少なくとも一方にタブを形成する
ことを特徴とする粘着テープ貼付け方法。
【請求項２】
請求項１に記載の粘着テープ貼付け方法において、
前記前部タブ形成過程は、基端側の支軸周りに枢動する一対の把持部材を開放した状態で粘着テープの非粘着面を吸着保持し、
先端側を吸着保持する把持部材を枢動させて粘着テープを内側に折り返し、他方の把持部材に吸着保持された粘着テープの粘着剤層と貼合わせてタブを形成し、
前記後部タブ形成過程は、前記把持部材を開放した状態で切断後の粘着テープの後端部の非粘着面を吸着保持し、
後端側を吸着保持する把持部材を枢動させて粘着テープを内側に折り返し、他方の把持部材に吸着保持された粘着テープの粘着剤層と貼合わせてタブを形成する
ことを特徴とする粘着テープ貼付け方法。
【請求項３】
被着体に粘着テープを貼付ける粘着テープ貼付け装置であって、
前記被着体を保持する保持機構と、
前記粘着テープを被着体の貼付け部位に向けて供給するテープ供給機構と、
前記貼付け部位に供給された粘着テープを切断するテープ切断機構と、
基端側の支軸周りに枢動するとともに、粘着テープの非粘着面を吸着保持する一対の把持部材を備え、粘着テープの端部側を吸着保持する把持部材を枢動させて粘着テープを内側に折り返して端部側にタブを形成するタブ形成機構と、
前記タブ形成機構の上流側に配備され、先端にタブの形成された粘着テープを押圧して被着体に貼付ける第１貼付けローラと、
前記タブ形成機構の下流側に配備され、粘着テープ切断時に第１貼付けローラに代えて粘着テープを押圧し、かつ、切断後に後端にタブの形成された粘着テープを押圧して被着体に貼付ける第２貼付けローラと、
前記粘着テープ切断時に第１貼付けローラの上流側で粘着テープを把持する把持機構と、
を備えたことを特徴とする粘着テープ貼付け装置。
【請求項４】
請求項３に記載の粘着テープ貼付け装置おいて、
前記粘着テープは、セパレータが貼り合わされており、当該粘着テープから剥離されたセパレータを回収するセパレータ回収部を備え、
前記把持機構は、粘着テープを反転させるエッジ部材と当該エッジ部材の先端に粘着テープを押圧する押えローラとから構成されている
ことを特徴とする粘着テープ貼付け装置。
【発明の詳細な説明】
【技術分野】
【０００１】
本発明は、長尺物、大型パネルなどを含む建材や段ボールなどの被着体に粘着テープを貼付ける粘着テープ貼付け方法および粘着テープ貼付け装置であって、特に、被着体に貼付ける粘着テープの端部にタブを形成する技術に関する。
【背景技術】
【０００２】
木目調や大理石調などの建具用パネルの表面保護、接合部の汚染防止のための表面保護、段ボールの組立ての際にフラップ部分の接合用に粘着テープが貼付けられる。これら粘着テープは、いずれも被着体から最終的に剥離される。
【０００３】
被着体に貼付けられている粘着テープは、剥離作業を効率よく行えるように粘着テープの先端部分を内側に折り返して粘着剤層同士を接着させてタブを形成している。つまり、このタブを摘むことにより、被着体から粘着テープを剥離し易くしている。（特許文献１を参照）。
【先行技術文献】
【特許文献】
【０００４】
【特許文献１】特開２００２−２００２７号公報
【発明の概要】
【発明が解決しようとする課題】
【０００５】
しかしながら、従来の粘着テープ貼付け方法では、テープ供給方向の先端側のみしかタブを形成することができなかった。
【０００６】
被着体が長尺物であって、その長手方向の一方向のみしか粘着テープの剥離ができない場合、装置にセットする被着体の向きを予め揃えておかなければならない。このような条件において、セットされる向きが逆のものが含まれている場合、取り回しが困難な長尺物を前後に反転させなければならないといった不都合が生じている。
【０００７】
また、長尺物の長手方向のいずれの端部からでも粘着テープを剥離してもよいにも関わらず、粘着テープの一端にのみにタブが形成されている場合、粘着テープの剥離作業の融通が効かず、作業効率を低下させるといった不都合も生じている。
【０００８】
本発明はこのような事情に鑑みてなされたものであって、被摘体に粘着テープを貼付けるとき、テープ貼付け方向に関わらず任意の端部にタブを形成した粘着テープの貼付けを可能にする粘着テープ貼付け方法および粘着テープ貼付け装置を提供することを主たる目的とする。
【課題を解決するための手段】
【０００９】
この発明は、このような目的を達成するために、次のような構成をとる。
【００１０】
すなわち、第１の発明は、被着体に粘着テープを貼付ける粘着テープ貼付け方法であって、
前記粘着テープの先端部を折り返してタブを形成する前部タブ形成過程と、
前記タブの形成された粘着テープを被着体の貼付け部位に貼付ける貼付け過程と、
前記貼付け部位の後端部よりも上流側で粘着テープを切断する切断過程と、
切断後の前記粘着テープの後端部を折り返してタブを形成する後部タブ形成過程とを備え、
前記粘着テープ貼付け時に先端側および後端側のうち少なくとも一方にタブを形成する
ことを特徴とする。
【００１１】
（作用・効果）  この方法によれば、粘着テープの貼付け方向に関わらず先端部および後端部のうち少なくともいずれかにタブを形成することができる。
【００１２】
なお、この方法において、前部タブ形成過程は、基端側の支軸周りに枢動する一対の把持部材を開放した状態で粘着テープの非粘着面を吸着保持し、
先端側を吸着保持する把持部材を枢動させて粘着テープを内側に折り返し、他方の把持部材に吸着保持された粘着テープの粘着剤層と貼合わせてタブを形成し、
前記後部タブ形成過程は、前記把持部材を開放した状態で切断後の粘着テープの後端部の非粘着面を吸着保持し、
後端側を吸着保持する把持部材を枢動させて粘着テープを内側に折り返し、他方の把持部材に吸着保持された粘着テープの粘着剤層と貼合わせてタブを形成することが好ましい（請求項２）。
【００１３】
この方法によれば、上記第1の発明を好適に実施することができる。
【００１４】
第３の発明は、被着体に粘着テープを貼付ける粘着テープ貼付け装置であって、
前記被着体を保持する保持機構と、
前記粘着テープを被着体の貼付け部位に向けて供給するテープ供給機構と、
前記貼付け部位に供給された粘着テープを切断するテープ切断機構と、
基端側の支軸周りに枢動するとともに、粘着テープの非粘着面を吸着保持する一対の把持部材を備え、粘着テープの端部側を吸着保持する把持部材を枢動させて粘着テープを内側に折り返して端部側にタブを形成するタブ形成機構と、
前記タブ形成機構の上流側に配備され、先端にタブの形成された粘着テープを押圧して被着体に貼付ける第１貼付けローラと、
前記タブ形成機構の下流側に配備され、粘着テープ切断時に第１貼付けローラに代えて粘着テープを押圧し、かつ、切断後に後端にタブの形成された粘着テープを押圧して被着体に貼付ける第２貼付けローラと、
前記粘着テープ切断時に第１貼付けローラの上流側で粘着テープを把持する把持機構と、
を備えたことを特徴とする。
【００１５】
（作用・効果）  この構成によれば、タブ形成機構の保持部材で粘着テープの先端部を吸着保持し、先端側の把持部材を枢動させて粘着テープを内側に折り返すことにより、テープ先端にタブを形成することができる。
【００１６】
タブの形成された粘着テープを供給し続けるとともに、第１貼付けローラで粘着テープを押圧することにより、被着体の貼付け部位に粘着テープが貼付けられてゆく。貼付け部位の後端に近づいたとき、第１貼付けローラに代えて第２貼付けローラで粘着テープを押圧する。同時に把持部材で粘着テープを把持する。これによってタブ形成機構を挟んで上流および下流側の両方で粘着テープが保持されている。
【００１７】
この状態で粘着テープの非粘着面が把持部材で吸着保持され、後端側で切断される。切断後に後端側の把持部材を枢動させて粘着テープを内側に折り返されることにより、テープ後端にタブが形成される。
【００１８】
タブ形成後に第２貼付けローラを転動させることにより、タブの下流側からタブまでの間の貼付け部位に粘着テープが貼付けられる。したがって、この構成によれば、第１の方法発明を好適に実現することができる。
【００１９】
なお、粘着テープは、セパレータが貼り合わされており、当該粘着テープから剥離されたセパレータを回収するセパレータ回収部を備え、
把持機構は、例えば粘着テープを反転させるエッジ部材と当該エッジ部材の先端に粘着テープを押圧する押えローラとから構成される（請求項４）。
【発明の効果】
【００２０】
本発明の粘着テープ貼付け方法および粘着テープ貼付け装置によれば、粘着テープ貼り付け方向のテープ先端側および後端側のうち少なくともいずれかにタブを形成した粘着テープを被着体に貼付けることができる。
【図面の簡単な説明】
【００２１】
【図１】粘着テープ貼付け装置の正面図である。
【図２】タブを形成する場合の粘着テープ貼付け動作を示す図である。
【図３】タブを形成する場合の粘着テープ貼付け動作を示す図である。
【図４】タブを形成する場合の粘着テープ貼付け動作を示す図である。
【図５】タブを形成する場合の粘着テープ貼付け動作を示す図である。
【図６】タブを形成する場合の粘着テープ貼付け動作を示す図である。
【図７】タブを形成する場合の粘着テープ貼付け動作を示す図である。
【図８】タブを形成する場合の粘着テープ貼付け動作を示す図である。
【図９】タブを形成する場合の粘着テープ貼付け動作を示す図である。
【図１０】タブを形成する場合の粘着テープ貼付け動作を示す図である。
【図１１】粘着テープの両端にタブを形成した状態を示す図である。
【図１２】タブ付きの粘着テープ貼付け状態を示す正面図である。
【図１３】タブ無しの粘着テープ貼付け動作を示す図である。
【図１４】タブ無しの粘着テープ貼付け動作を示す図である。
【図１５】タブ無しの粘着テープ貼付け動作を示す図である。
【発明を実施するための形態】
【００２２】
以下、図面を参照して本発明の一実施例を説明する。
【００２３】
この実施例では、大型かつ薄い建築用パネルに両端にタブを形成しつつ粘着テープを貼付ける方法および粘着テープ貼付け装置について説明する。ただし、この方法および装置は、この実施形態に限定されるものではない。例えば、建築用パネル以外の大型または長尺の被着体への粘着テープの貼付けにも適用することもできる。
【００２４】
図１は、粘着テープ貼付け装置の正面図である。
【００２５】
この粘着テープ貼付け装置は、被着体である建築用パネルＷを載置して搬送するパネル搬送機構１、搬送経路上の建築用パネルＷに向けて粘着テープＴを供給するテープ供給機構２、粘着テープＴの送り出し長さを検出する検出器４、搬送経路上で建築用パネルＷに粘着テープＴを貼付けるテープ貼付け機構５、セパレータＳ付きの粘着テープＴからセパレータＳを剥離回収するセパレータ回収部６、粘着テープＴを所定長さに切断するテープ切断機構７、粘着テープＴの端部にタブを形成するタブ形成機構８などが備えられている。なお、テープ供給機構２、検出器４、タブ形成機構８、および、後述するターンローラ１３は、この装置奥の縦壁１０に縦置きに配置されている。また、テープ貼付け機構５、およびセパレータ回収部６は、縦壁１０と連結する連結部材に軸支しされ、軸心Ｘ１周りに枢動可能なブラケット１１に縦置きに配置されている。上記各構造部および機構についての具体的な構成を以下に説明する。
【００２６】
パネル搬送機構１は、建築用パネルＷを裏面から吸着して搬送するローラコンベアにより構成されている。
【００２７】
テープ供給部２は、供給ボビン１２から繰り出されたセパレータＳ付きの粘着テープＴをターンローラ１３に巻回案内し、テープ貼付け機構５に導くよう構成されている。
【００２８】
供給ボビン１２は、適度の回転抵抗を与えられており、過剰なテープ繰り出しが行われないように構成されている。
【００２９】
ターンローラ１３は、建築用パネルＷなどの被着体のテープ貼付け部位の単位長さに応じて、粘着テープＴの繰り出し長さを調整する。したがって、ターンローラ１３は、被着体などテープ貼付け条件に応じて適宜に異なる直径のローラに変更される。
【００３０】
検出器４は、ロータリーエンコーダなどで構成されており、粘着テープＴの供給される長さを検出する。本実施例の場合、建築用パネルＷの貼付け部位の長さとタブを形成するのに必要な粘着テープＴの長さを単位として検出している。
【００３１】
テープ貼付け機構５は、ブラケット１１に軸支され、軸心Ｘ２周りに枢動可能なブラケット１４の先端に遊転自在に軸支された第１貼付けローラ１５、この第１貼付けローラ１５の上流側でセパレータＳを折り返して反転させ、把持ローラを介してセパレータ回収部６に導くエッジ部材１７、このエッジ部材１７と協働して粘着テープＴを把持する押えローラ１８、およびブラケット１１の下部先端で遊転自在に軸支された第２貼付けローラ１９とから構成されている。
【００３２】
押えローラ１８は、シリンダなどのアクチュエータにより昇降可能に構成されている。
【００３３】
セパレータ回収部６は、粘着テープＴから剥離されたセパレータＳを巻き取る回収ボビン２０が巻取り方向に回転駆動されるようになっている。
【００３４】
テープ切断機構７は、図２に示すように、刃先を上向きにしたカッタ刃２１が装着されたカッタホルダを備えている。このカッタ刃２１は、テープ切断機構７により装置奥側の待機位置と粘着テープＴを切断する作用位置とにわたって前後移動するとともに、作用位置で昇降するように構成されている。また、カッタ刃２１は、粘着テープＴの切断時に、この粘着テープＴに対して垂直になるよう角度調整される。
【００３５】
タブ形成機構８は、ブラケット２３を介して縦壁１０に軸支され、軸心Ｘ３周りに枢動可能なシリンダ２４の先端に把持部２５を備えている。
【００３６】
把持部２５は、図３に示すように、基端部で軸支され枢動可能な一対の把持ブロック２６ａ、２６ｂで構成されている。この把持ブロック２６ａ、２６ｂの把持面２７には吸着孔２８が形成されている。吸着孔２８は、吸引装置と連通接続されている。
【００３７】
次に、上記粘着テープ貼付け装置により建築用パネルＷに粘着テープＴを貼付ける基本動作について、図２から図８を参照しながら説明する。
【００３８】
テープ搬送機構１によって搬送される建築用パネルＷがセンサなどで検出され、図２に示すように、先端が貼付け位置に到達した時点で一旦停止される。
【００３９】
建築用パネルＷの停止に伴って、タブ形成機構８が作動される。先ず、第１貼付けローラ１５と第２貼付けローラ１９の間に把持部２５を下降し、把持ブロック２６ａ、２６ｂを開放させる。このとき、把持面２７が略平坦になるように開放させる。
【００４０】
粘着テープＴの先端部分は、エッジ部材１７でセパレータＳを剥離されながら開放して把持面２７が下方に向いた両把持ブロック２６ａ、２６ｂの下方まで送り出される。このとき、図３に示すように、吸引装置を作動させて粘着テープＴの先端部分を両把持ブロック２６ａ、２６ｂの把持面２７で吸着保持する。
【００４１】
テープ先端の吸着保持が完了すると、図４に示すように、把持ブロック２６ｂを軸心周りに枢動させて把持ブロック２６ａ、２６ｂの把持面２７同士を突き合わせる。このとき、粘着テープＴの先端側が把持ブロック２６ｂにより内側に折り返され粘着剤層同士が接着され、図５に示すように、タブＴＢが形成される。
【００４２】
タブ形成完了後に把持ブロック２６ａ、２６ｂを開放してタブＴＢの把持を解除し、ブラケット１４を揺動下降される。このとき、エッジ部材１７によりセパレータＳの剥離された粘着テープＴの先端が第１貼付けローラ１５の下端に位置しているので、第１貼付けローラ１５の下降により建築用パネルＷの貼付け部位に粘着テープＴが押圧される。
【００４３】
テープ先端の押圧が完了すると、図６に示すように、テープ搬送機構１が作動し、建築用パネルＷが搬送方向に送り出されてゆく。この動作に伴って第１貼付けローラ１５が粘着テープＴに適度な押圧を付与しながら転動して粘着テープＴを貼付け部位に貼付けてゆく。
【００４４】
第１貼付けローラ１５が貼付け部位の終端位置に到達すると建築用パネルＷの搬送を停止しさせる。この停止に伴って、図７に示すように、ブラケット１４を揺動させて所定の高さまで第１貼付ローラ１５を上昇させ、粘着テープＴの押圧を解除するとともに、ブラケット１１を揺動下降させる。このとき、タブ形成機構８の下流側で第２貼付けローラ１９よって粘着テープＴが貼付け部位に押圧される。
【００４５】
また、ブラケット１４の上昇に伴って押えローラ１８を下降させ、エッジ部材１７の先端とにより粘着テープＴを把持する。この状態で建築用パネルＷを下流側に僅かに移動させ、粘着テープＴにテンションを付与する。
【００４６】
図８に示すように、エッジ部材１７の先端側と第２貼付けローラ１９の間でテンションの付与された粘着テープＴの位置に把持部２５を下降させ、開放された両把持ブロック２６ａ、２６ｂの把持面２７で粘着テープＴの非粘着面を吸着保持する。
【００４７】
この状態で、粘着テープＴの下側の切断作用位置にカッタ刃２１が移動される。切断作用位置にカッタ刃２１が到達すると上昇させて粘着テープＴに刃先を突き刺して切断する。切断処理が完了すると、カッタ刃２１は下降および後退し、元の待機位置に戻る。
【００４８】
粘着テープＴの後端部を吸着保持する把持ブロック２６ａを、図９に示すように、軸心周りに枢動させて把持ブロック２６ａ、２６ｂの把持面２７同士を突き合わせる。このとき、粘着テープＴの後端が把持ブロック２６ａにより内側に折り返され粘着剤層同士が接着され、図１０および図１１に示すように、タブＴＢが形成される。
【００４９】
タブ形成完了後に把持ブロック２６ａ、２６ｂを開放してタブＴＢの把持を解除するのに伴って、図２に示すように、第２貼付けローラ１９を揺動上昇させて待機位置に戻すとともに、建築用パネルＷのみが下流側へと搬送されてゆく。
【００５０】
以上で両端にタブＴＢの形成された粘着テープ貼付けの基本動作が完了し、以後同じ処理が繰り返される。
【００５１】
次に、テープ端部にタブを形成せずに粘着テープＴを被着体に貼付ける場合の動作について説明する。
【００５２】
テープ搬送機構１によって搬送される建築用パネルＷがセンサなどで検出され、図２に示すように、先端が貼付け位置に到達した時点で一旦停止される。
【００５３】
粘着テープＴの先端部分がエッジ部材１７でセパレータＳを剥離され、図１２に示すように、第１貼付けローラ１５の下方に送り出される。
【００５４】
第１貼付けローラ１５の下方に粘着テープＴの先端が到達すると、図１３に示すように、ブラケット１４を軸心Ｘ２周りに枢動させて第１貼付けローラ１５を下降させる。この下降に伴って建築用パネルＷの貼付け部位に粘着テープＴが押圧される。
【００５５】
テープ先端の押圧が完了すると、テープ搬送機構１が作動し、建築用パネルＷが搬送方向に送り出されてゆく。この動作に伴って第１貼付けローラ１５が粘着テープＴに適度な押圧を付与しながら転動して粘着テープＴを貼付け部位に貼付けてゆく。
【００５６】
第１貼付けローラ１５が貼付け部位の終端位置に到達すると建築用パネルＷの搬送を停止しさせる。この停止に伴って、図１４に示すように、ブラケット１４を揺動させて所定の高さまで第１貼付ローラ１５を上昇させ、粘着テープＴの押圧を解除するとともに、ブラケット１１を揺動下降させる。このとき、タブ形成機構８の下流側で第２貼付けローラ１９よって粘着テープＴの貼付け部位が押圧される。
【００５７】
また、ブラケット１４の上昇に伴って押えローラ１８を下降させ、エッジ部材１７の先端とにより粘着テープＴを把持する。この状態で建築用パネルＷを下流側に僅かに移動させ、粘着テープＴにテンションを付与する。
【００５８】
図１５に示すように、エッジ部材１７の先端側と第２貼付けローラ１９の間でテンションの付与された粘着テープＴの位置に把持部２５を下降させ、開放された両把持ブロック２６ａ、２６ｂの把持面２７で粘着テープＴの非粘着面を吸着保持する。
【００５９】
この状態で、粘着テープＴの下側の切断作用位置にカッタ刃２１が移動される。切断作用位置にカッタ刃２１が到達すると上昇させて粘着テープＴに刃先を突き刺して切断する。切断処理が完了すると、カッタ刃２１は下降および後退し、元の待機位置に戻る。
【００６０】
粘着テープＴの切断が完了するとパネル搬送機構１を作動させて建築用パネルＷを下流側に搬送させる。この搬送に連動して両把持ブロック２６ａ、２６ｂの吸引力を弱める。つまり、建築用パネルＷが下流側に搬送されるのに伴って、把持ブロック２６ａ、２６ｂより吸着されている粘着テープＴを第２貼付けローラ１９が徐々に引き込みながら建築用パネルＷの貼付け部位に貼付けてゆく。
【００６１】
第２貼付けローラ１９が貼付け終端位置に到達すると、揺動上昇させて待機位置に戻すととも、建築用パネルＷは下流側への搬送されてゆく。
【００６２】
以上でテープ端部にタブを形成せずに粘着テープＴを被着体に貼付ける動作が完了し、以後同じ処理が繰り返される。
【００６３】
この粘着テープ貼付け装置によれば、粘着テープＴの先端および後端にタブＴＢを形成することもできれば、タブＴＢを形成することなく粘着テープＴを建築用パネルＷに貼付けることができる。換言すれば、粘着テープＴの任意に端部にタブＴＢを形成することができる。
【００６４】
本発明は上述した実施例のものに限らず、次のように変形実施することもできる。
【００６５】
（１）上記各実施例は、建築用パネルＷを移動させながら粘着テープＴを貼付けていたが、粘着テープ貼付け装置を移動させながら粘着テープＴを被着体に粘着テープＴを貼付ける構成であってもよい。
【００６６】
（２）上記各実施例において、タブＴＢを形成しない場合、粘着テープＴの後端側を切断するときに把持ブロック２６ａ、２６ｂによって粘着テープＴの非粘着面を吸着保持するとともに、切断後の粘着テープＴの貼付けが完了する間際まで吸着保持していたが、このような貼付け形態に限定されるものではない。
【００６７】
例えば、第２貼付けローラ１９と押えローラ１８までの距離が短く、切断後の粘着テープＴが貼付け部位に皺を発生させることなく密着させることが可能な場合、把持ブロック２６ａ、２６ｂの保持サポートを利用しなくてもよい。
【符号の説明】
【００６８】
１  …  パネル搬送機構
２  …  テープ供給機構
５  …  テープ貼付け機構
６  …  セパレータ回収部
７  …  テープ切断機構
８  …  タブ形成機構
Ｗ  …  建築用パネル（被着体）
Ｔ  …  粘着テープ
ＴＢ…  タブ  
【図１】
2011057360.tif 000003
【図２】
2011057360.tif 000004
【図３】
2011057360.tif 000005
【図４】
2011057360.tif 000006
【図５】
2011057360.tif 000007
【図６】
2011057360.tif 000008
【図７】
2011057360.tif 000009
【図８】
2011057360.tif 000010
【図９】
2011057360.tif 000011
【図１０】
2011057360.tif 000012
【図１１】
2011057360.tif 000013
【図１２】
2011057360.tif 000014
【図１３】
2011057360.tif 000015
【図１４】
2011057360.tif 000016
【図１５】
2011057360.tif 000017